(57)【要約】      （修正有）【課題】極めてシンプルでありながら使用感に優れたリングノート用カバーを提供する。【解決手段】可撓性を有するシート状のリングノートカバー１の背表紙側の端縁に沿ってリングノート４のリング部５を係入するための切込部と係止孔部２及び係入されたリング部５を係止するための段部３を連続して形成し、リング部５を切込部を通して孔部２に係入することによりリングノートカバー１をリングノート４に装着する。【選択図】図３
0003220699.tif 000002
【実用新案登録請求の範囲】
【請求項１】
可撓性を有するシート状のリングノートカバーであって、
前記リングノートカバーの背表紙側の端縁に沿って切込部及びこの切込部に続く係止孔部が形成されると共に、前記切込部と前記係止孔部間には段部が形成されていること、
を特徴とするリングノートカバー。
【請求項２】
可撓性を有するシート状のリングノートカバーであって、
前記リングノートカバーの背表紙部分に沿って透孔部及びこの透孔部の両端に続く係止孔部が形成されると共に、前記透孔部と前記係止孔部間には段部が形成されていること、
を特徴とするリングノートカバー。
【考案の詳細な説明】
【技術分野】
【０００１】
本考案は、リングノートに対して容易に着脱可能なリングノートカバーに関するものである。
【背景技術】
【０００２】
リングノートは綴じ穴を有する複数枚の用紙及び表裏表紙をリングにより綴じたものであり、無線綴じノートと比較して、用紙の切り離しが簡単であると共に、表表紙又は裏表紙を略３６０度開き、二つ折りとした状態でも安定した使用が可能な点に特徴がある。
【０００３】
しかし、リングノートにノートカバーを装着して使用する場合、差込口等に表裏表紙を差し込む等によりノートを保持する一般的なノートカバーでは、リングがノートカバーの背表紙部に干渉してしまうためリングノートを二つ折りにすることは困難であり、仮に二つ折りにできたとしても、安定した使用は望めない。
【０００４】
また、無理にリングノートを二つ折りにした場合には、ノートカバーに折跡が付いてしまい見映えが悪いものとなる、またリングとの接触によりノートカバーが破損してしまう、という問題もある。
【０００５】
これらの問題に対し、リングノートカバーの背面部をヒンジ構造とするリングノートカバーが公知となっている。
【０００６】
しかし、このリングノートカバーは、背面部をヒンジ構造とするため、一般的なノートカバーよりも製造コストが嵩むという問題があり、また、リングノートを閉じた状態ではヒンジ構造とした背面部が目立つため、デザイン性にも問題がある。
【先行技術文献】
【特許文献】
【０００７】
【特許文献１】特開２０１７−７１１１６号公報
【考案の概要】
【考案が解決しようとする課題】
【０００８】
本考案は、以上のような問題を解消し、極めてシンプルでありながらデザインの自由度が高く、使用感に優れたリングノート用カバーを提供することを目的とする。
【課題を解決するための手段】
【０００９】
上記の課題を解決するため、請求項１に記載の考案は、リングノートカバーにおいて、可撓性を有するシート状のリングノートカバーであって、前記リングノートカバーの背表紙側の端縁に沿って切込部及びこの切込部に続く孔部が形成されると共に、前記切込部と前記孔部間には段部が形成されていることを特徴とするものである。
【００１０】
また、請求項２に記載の考案は、リングノートカバーにおいて、前記リングノートカバーの背表紙部分に沿って透孔部及びこの透孔部の両端に続く係止孔部が形成されると共に、前記透孔部と前記係止孔部間には段部が形成されていることを特徴とするものである。
【考案の効果】
【００１１】
本考案はシート状のノートカバーのみという構成のため、リングノートへの着脱が容易であり、また、リングノート用のカバーとして十分な機能を有しながら製造コストを低く抑えることができる。
【００１２】
また、請求項１に係る考案によると、表表紙と裏表紙とにそれぞれ色や質感やデザインの異なるノートカバーを使用できるため、使用者の好みに合わせてリングノートを統一感のあるデザインとすることも、また個性的なデザインとすることもできる。
【図面の簡単な説明】
【００１３】
【図１】リングノートカバーの説明図である。
【図２】リングノートカバーの切込部及び係止孔部及び段部を示す説明図である。
【図３】リングノートカバーをリングノートに装着する方法を示す説明図である。
【図４】リングノートの表表紙にリングノートカバーを装着した状態を示す説明図である。
【図５】リングノートの表表紙側と裏表紙側にリングノートカバーを装着した状態を背表紙側から見た説明図である。
【図６】請求項２に係るリングノートカバーの説明図である。
【図７】請求項２に係るリングノートカバーの透孔部及び係止孔部及び段部を示す説明図である。
【図８】リングノートの表表紙側と裏表紙側に請求項２に係るリングノートカバーを装着した状態を背表紙側から見た説明図である。
【考案を実施するための形態】
【００１４】
以下、図１−図８に基づいて実施例を詳細に説明する。
【実施例１】
【００１５】
図１はリングノートカバーの説明図、図２はリングノートカバーに形成された切込部及び係止孔部及び段部の説明図であり、符号の１は可撓性を有するリングノートカバー、２はリングノートのリングを係入するための係止孔部、２ａは係止孔部２へと続く切込部、３は係入したリングノートのリングが係止孔部２から抜けないようリングを係止するための段部、４はリングノート、５はリングノート４のリング部である。
【００１６】
切込部２ａ及び係止孔部２及び段部３はリングノートカバー１の背表紙側の端縁に沿って形成されており、図２に示すように、切込部２ａの切込幅ａはリング部５の幅ｂよりも狭く、係止孔部２に係入されたリング部５は段部３と係止されるため、使用中や移動中に受ける衝撃により係止孔部２に係入されたリング部５が係止孔部２から簡単に抜けることはない。
【００１７】
なお、リングノートカバー１の素材は特に限定されないが、リングノート４を保護するためには合皮等の防水性及び耐衝撃性を有するものが望ましい。
【００１８】
次に、リングノートカバー１をリングノート４へ装着する方法について説明する。
【００１９】
先ず、表表紙及び裏表紙を上側としてリングノート４を伏せ、リング部５と係止孔部２との位置を合わせた状態でリングノートカバー１をリングノート４の表表紙にセットする。
【００２０】
次に、図３に示すように、リング部５に沿ってリングノートカバー１を指でなぞることによりリング部５は切込部２ａを通って係止孔部２に次々と係入され、図４に示すように全てのリング部５が係止孔部２に係入されてリングノートカバー１はリングノート４の表表紙に装着される。
【００２１】
そして、同様の方法でリングノート４の裏表紙にもリングノートカバー１を装着し、図５に示すように、リングノートカバー１はリングノート４の表表紙及び裏表紙に装着される。
【００２２】
また、装着したリングノートカバー１をリングノート４からの取り外す方法としては、リングノートカバー１を縦方向にめくるようにすると、リング部５は切込部２ａを通って係止孔部２から次々と外れて行くため容易かつ効率的である。
【００２３】
なお、上記装着方法と取り外し方法は例示であり、リングノートカバー１のリングノート４に対する着脱方法はこれらのものに限定されるわけではない。
【実施例２】
【００２４】
図６は請求項２に係るリングノートカバーの説明図、図７は請求項２に係るリングノートカバーに形成された透孔部及び係止孔部及び段部の説明図であり、符号の６は可撓性を有するリングノートカバー、７はリングノートのリングを係入するための透孔部、８は透孔部７の両端に続く係止孔部、９は係入したリングノートのリングが係止孔部８から抜けないようリングを係止するための段部、４はリングノート、５はリングノート４のリング部である。
【００２５】
透孔部７及び係止孔部８及び段部９はリングノートカバー６の背表紙部に形成されており、図７に示すように、透孔部７の切込幅ａはリング部５の幅ｂよりも狭く、係止孔部８に係入されたリング部５は段部９と係止されるため、使用中や移動中に受ける衝撃により係止孔部８に係入されたリング部５が係止孔部８から簡単に抜けることはない。
【００２６】
なお、リングノートカバー６の素材は特に限定されないが、リングノート４を保護するためには合皮等の防水性及び耐衝撃性を有するものが望ましい。
【００２７】
図８に示すように、リングノートカバー６は一枚でリングノート４の表表紙及び裏表紙をカバーでき、またリングノート４に対する装着方法は、表表紙及び裏表紙を上側としてリングノート４を伏せ、リング部５と透孔部７及び係止孔部８との位置を合わせた状態でリングノートカバー６をリングノート４の表表紙及び裏表紙にセットし、リング部５に沿ってリングノートカバー６の表表紙側と裏表紙側を指でなぞるものであり、取り外し方法と共に実施例１と略同様である。
【００２８】
このように、本考案はその構成、使用方法共に非常にシンプルなため、使用者は気軽にリングノートカバー１，６を交換してリングノートの雰囲気を変えることができるだけでなく、例えば、表表紙と裏表紙とで異なる色や質感、デザインのリングノートカバー１を用いることにより、一冊のリングノートで二種類のデザインを楽しむこともできる。
【符号の説明】
【００２９】
１  リングノートカバー
２  係止孔部
２ａ  切込部
３  段部
４  リングノート
５  リング部
６  リングノートカバー
７  透孔部
８  係止孔部
９  段部
【図１】
0003220699.tif 000003
【図２】
0003220699.tif 000004
【図３】
0003220699.tif 000005
【図４】
0003220699.tif 000006
【図５】
0003220699.tif 000007
【図６】
0003220699.tif 000008
【図７】
0003220699.tif 000009
【図８】
0003220699.tif 000010